(57)【要約】【課題】フォークを差し込んだときに、フォークの爪がフォーク挿入口の開口部に隣接した壁体を押し破ってしまったり、あるいは内方の桁の外周壁を突き破ってしまうことがあったとしても、桁内部への水の浸入やごみの侵入を防止し、衛生的なパレットを提供する。【解決手段】上部デッキ部材４と下部デッキ部材６との突き合わせ面８を溶着することにより、中空密閉状の桁Ａ，Ｂ，Ｃが画成される合成樹脂製パレット２において、前記桁Ａ，Ｂ，Ｃの内部を二重壁として構成するとともに、前記桁Ａ，Ｂ，Ｃにおける外側の壁３２，３４，３６と内側の壁２６，２８，３０との間の中間領域に、少なくとも下部に開口する孔を設けたことを特徴とする。【選択図】　図１
2004083016.tif 000002
【特許請求の範囲】
【請求項１】
上部デッキ部材と下部デッキ部材との突き合わせ面を溶着することにより、中空密閉状の桁が画成される合成樹脂製パレットにおいて、
前記桁の内部を二重壁として構成するとともに、
前記桁における外側の壁と内側の壁との間の中間領域に、少なくとも下部に開口する孔を設けたことを特徴とする合成樹脂製パレット。
【発明の詳細な説明】
【０００１】
【発明の属する技術分野】
本発明は合成樹脂製パレットに関し、詳しくは、上部デッキ部材と下部デッキ部材との間を溶着により一体化される合成樹脂製パレットに関する。
【０００２】
【従来の技術】
近年、木材の有効利用が叫ばれていることに加えて、合成樹脂の秀でた効果に注目して、従来から使用されてきた木製パレットに代えて、合成樹脂製パレットが広く使用されている。
このような合成樹脂製のパレットは、木製パレットに比べて、耐水性、洗浄性、耐薬品性、軽量性などの点で優れ、さらには高強度であるという利点がある。
【０００３】
このような合成樹脂製のパレットの中には、上部デッキ部材と下部デッキ部材とを予め別体で成形し、これら２つのデッキ部材を互いに突合せて溶着した、いわゆる溶着パレットが知られている。このような溶着パレットでは、２つのデッキ部材を溶着することにより、両者の間に中空密閉状の桁が形成される。
【０００４】
【発明が解決しようとする課題】
ところで、合成樹脂製パレットでは、フォーク差込口にフォークを差し込んだときに、フォークの爪が特に、フォーク挿入口の開口部に隣接した壁体を押し破ってしまうことがある。
すると、この破れた孔から、中空の桁内に水が侵入してしまい、結果として、桁内に水が滞留し、場合によっては、ごみや埃等が侵入して、そのまま残存してしまうという問題があった。また、フォークの爪が内方の桁の外周壁を突き破ってしまうという問題があった。
【０００５】
本発明は、上記実状に鑑み、フォークを差し込んだときに、フォークの爪がフォーク挿入口の開口部に隣接した壁体を押し破ってしまったり、あるいは内方の桁の外周壁を突き破ってしまうことがあったとしても、桁内部への水の浸入やごみの侵入を防止し、衛生的なパレットを提供することを目的としている。
【０００６】
【課題を解決するための手段】
上記目的を達成するための本発明に係る合成樹脂製パレットは、
上部デッキ部材と下部デッキ部材との突き合わせ面を溶着することにより、中空密閉状の桁が画成される合成樹脂製パレットにおいて、
前記桁の内部を二重壁として構成するとともに、
前記桁における外側の壁と内側の壁との間の中間領域に、少なくとも下部に開口する孔を設けたことを特徴としている。
【０００７】
係る構成の合成樹脂製パレットによれば、桁を二重構造とすることにより、桁の表面層と内側層とが画成されるので、仮にフォークの爪が桁の表面層を突き破るようなことがあったとしても、その内部の内側層は保護されているので、ごみや塵埃、水などの浸入を防止することができる。
【０００８】
【発明の実施の形態】
以下、図面を参照しながら、本発明の一実施例による合成樹脂製パレットについて説明する。
図１は、本発明の一実施例による合成樹脂製パレットを示したものである。
この合成樹脂製パレット２は、ポリエチレン、ポリプロピレン等のポリオレフィン樹脂からなり、上部デッキ部材４と下部デッキ部材６とが別体で形成され、これらの２部材は、互いの突き合わせ面８で溶着されている。このように形成された合成樹脂製パレット２では、溶着により、一対のフォーク挿入口１２，１２との間に、中央桁Ａと左右の桁Ｂ，Ｃがそれぞれ設けられている。
【０００９】
合成樹脂製パレット２は、片面使用あるいは両面使用のいずれでも良く、両面使用の場合は、上部デッキ部材４と下部デッキ部材６とがそれぞれ略対称形に形成される。さらに、上下のデッキ部材４，６には、多数の孔１６が形成されることにより、軽量化および排水性が促進されるとともに、摩擦抵抗の増大化が図られている。なお、図１において符号２０は、摩擦抵抗を大きくするためにデッキ面に略平行に貼着された摩擦テープを示したものである。
【００１０】
他方、図１のＩＩ−ＩＩ線方向の断面を示す図２および図１の突合せ面８での水平方向の端面図である図３に示したように、本実施例では、中央桁Ａ，および左右の桁Ｂ，Ｃは、二重構造とされている。すなわち、内周側に画成された略矩形状の内周壁２６，２８，３０と、その外周側に形成された略矩形状の外周壁３２，３４，３６との二重構造となっている。そして、内周側に形成された内周壁２６，２８，３０の上面２６ａ，２８ａ、３０ａは閉塞されている。また、外周側の外周壁３２，３４，３６は、筒状にされ、上方が開放されている。
【００１１】
そして、このような各桁Ａ，Ｂ，Ｃにおける、内周壁２６，２８，３０と外周壁３２，３４，３６とは、図３に示したように、フォークの挿入方向と直行する方向の多数のリブ３７により連結されている。なお、溶着型のパレット２では、上部デッキ部材４と下部デッキ部材６の内周壁２６，２８，３０と外周壁３２，３４，３６の端部を突き合わせて溶着し、これにより２つの分割体を一体化することが軽量化には好ましいが、強度面を考慮すれば、リブ３７の高さも外周壁および内周壁と同じ高さとし、この部分も互いに溶着することが好ましい。したがって、外周壁と内周壁とをつなぐリブ３７の高さは、強度および軽量化等の面から適宜設定できる。
【００１２】
このように合成樹脂製パレット２では、桁Ａ，Ｂ，Ｃの内側に構成された内周壁２６，２８，３０の上面は、閉塞されているので、ここから水などが入り込むことがない。
一方、外側の外周壁３２，３４，３６は、上面が開放されているので、軽量化が促進されるとともに、洗浄性がより一層向上されている。
【００１３】
このように形成された合成樹脂製パレット２では、一対のフォーク挿入口１２，１２に２本のフォークを差し込んだ場合に、仮にそのフォーク挿入口１２の開口部に隣接した壁Ｗに、フォークの爪が当接したり、あるいは壁Ｗのさらに内方で、フォークの爪が外周壁３２，３４，３６の壁を打ち破られることがある。しかしながら、内周壁２６，２８，３０が独立して形成されているので、仮にフォークの爪により、打ち破かれた部分から仮に水や塵埃などが浸入したとしても、その浸入した水や塵埃を、外側壁と内側壁との間の中間領域に形成された孔から下方に排出することができる。したがって、水などがその部分に留まることはない。よって、パレットの衛生面が損われることはない。
【００１４】
以上、本発明の一実施例について説明したが、本発明は上記実施例に何ら限定されない。
例えば、パレットは片面使用に限定されず、両面使用であっても良い。さらに、二方差し、あるいは四方差しのいずれであっても良い。
また、上記実施例では、内周壁２６，２８，３０と外周壁３２，３４，３６との間の中間領域は、上下両方向に開口して形成されているが、少なくとも下部に開口する孔が形成されていれば良い。
【００１５】
【発明の効果】
以上、説明したように、本発明によれば、桁の内部を二重構造としたので、仮にフォークの爪が、フォーク挿入口の開口部に隣接した壁を突き破ったり、あるいは内方の桁を構成する外周壁を打ち破ったりしたとしても、桁には、内方に独立した内周壁が画成されているので、この部分への水などが浸入が防止される。さらに、仮に打ち破られた部分から水などが浸入したとしても、その水などを少なくとも下部に開口する中間領域の孔から下方に排出することができる。したがって、軽量化を図りながら堅牢でしかも衛生的なパレットを提供することができる。
【図面の簡単な説明】
【図１】図１は本発明の一実施例による合成樹脂製パレットの斜視図である。
【図２】図２は図１におけるＩＩ−ＩＩ線方向の断面図である。
【図３】図３は図１に示した合成樹脂製パレットの突合せ面における水平方向の端面図である。
【符号の説明】
４　　　　上部デッキ部材
１２　　　フォーク挿入口
２６，２８，３０　　　内周壁
【図１】
2004083016.tif 000003
【図２】
2004083016.tif 000004
【図３】
2004083016.tif 000005